(57)【特許請求の範囲】
【請求項１】
ネジの脱落を防止するために用いられるネジ脱落防止用部品であって、高さが調整可能であり、前記ネジの頭部に対向する位置の部材面に着脱可能に設置され、
前記ネジ脱落防止用部品は、上穴を有するベースと、
前記上穴に嵌合する溝を有し、前記ベースに高さ調整可能に差し込まれたシャフトとを有することを特徴とするネジ脱落防止用部品。
【請求項２】
請求項１に記載のネジ脱落防止用部品において、
前記ネジ脱落防止用部品は、前記ネジの頭部に対向する位置の部材面に、前記ネジの頭部との間に距離を置いて設置されることを特徴とするネジ脱落防止用部品。
【請求項３】
請求項１又は２に記載のネジ脱落防止用部品において、
前記ネジ脱落防止用部品は、前記ベースの底部に一面を貼付けられた両面テープを有し、
前記ネジ脱落防止用部品は、前記両面テープの他面を、前記ネジの頭部に対向する位置の前記部材面に貼付けることにより設置されることを特徴とするネジ脱落防止用部品。
【請求項４】
請求項１又は２に記載のネジ脱落防止用部品において、
前記ネジ脱落防止用部品は、前記ベースの底部に設けた突起を有し、
前記ネジ脱落防止用部品は、前記ネジに対向する位置の前記部材面に形成された孔に、前記ベースの底部に設けた前記突起を押し込むことにより設置されることを特徴とするネジ脱落防止用部品。
【請求項５】
請求項１〜４のいずれかに記載のネジ脱落防止用部品において、
前記ベース及び前記シャフトは、弾性のある材質からなることを特徴とするネジ脱落防止用部品。
【発明の詳細な説明】
【技術分野】
【０００１】
本発明は、ネジの脱落を防止するために用いられるネジ脱落防止用部品に関するものである。
【背景技術】
【０００２】
部品を装置内部にネジ止めした装置では、装置の振動や繰り返し衝撃によりネジが緩み、装置内部でネジが脱落する。ネジが脱落すると、脱落したネジによって装置内部でショートが発生する可能性がある。
【０００３】
ネジの緩みを防止するネジ緩み防止策として、ネジ先端に接着剤が付いたネジを使用することやスプリングワッシャやナット等を使用することが一般的である。
【０００４】
しかし、上述のように接着剤やスプリングワッシャやナット等を使用する場合でも、装置に加わる全ての負荷（振動及び衝撃）を予想し評価することは困難であり、想定外の振動や繰り返し衝撃等に対してはネジが緩み、脱落し、脱落したネジによって装置内部でショートが発生するといった可能性が残ってしまう。
【０００５】
特許文献１（特開２００５−３２９８６７号公報）は、段落［００４０］及び［００４１］及び図６に、突起３１は前面カバー３０に形成されていて、前面カバー３０をハウジング２ｂに取り付けることで、突起３１がネジ４８の脱落を防止することを開示している。
【０００６】
特許文献２（特開２００６−３３９６０３号公報）は、段落［００２９］及び［００３４］及び図１に、下部カバー３３のリブ８１が上部カバー固定ねじ３５のねじ頭部７１に近接している。これにより、仮に上部カバー固定ねじ３５が緩んだとしても、ねじ頭部７１がリブ８１に当たり、緩みの進行を阻止することができ、ストラップの抜けを防止できることを開示している。
【先行技術文献】
【特許文献】
【０００７】
【特許文献１】特開２００５−３２９８６７号公報
【特許文献２】特開２００６−３３９６０３号公報
【発明の概要】
【発明が解決しようとする課題】
【０００８】
本発明の目的は、振動や繰り返し衝撃等によりネジが緩んだ場合でも、緩んだネジが脱落しないようにすることができ、前記ネジに対向する位置に設置可能なネジ脱落防止用部品を提供することにある。
【課題を解決するための手段】
【０００９】
本発明によれば、
ネジの脱落を防止するために用いられるネジ脱落防止用部品であって、高さが調整可能であり、前記ネジの頭部に対向する位置の部材面に着脱可能に設置されることを特徴とするネジ脱落防止用部品が得られる。
【発明の効果】
【００１０】
本発明によれば、振動や繰り返し衝撃等によりネジが緩んだ場合でも、緩んだネジが脱落しないようにすることができ、前記ネジに対向する位置に設置可能なネジ脱落防止用部品を得ることができる。
【図面の簡単な説明】
【００１１】
【図１】本発明の基となったネジ脱落防止構造を有する装置の断面図である。
【図２】図１に示された装置を、ネジが緩んだ状態にて示した断面図である。
【図３】本発明の第１の実施形態によるネジ脱落防止用部品を２個用いた装置の断面図である。
【図４】図３に示された装置を、ネジが緩んだ状態にて示した断面図である。
【図５】（Ａ）及び（Ｂ）は、図３に示された装置において用いられた２個のネジ脱落防止用部品を説明するための図である。
【図６】図３に示された装置において用いられたネジ脱落防止用部品の高さが調節可能な様子を示す図である。
【図７】本発明の第２の実施形態によるネジ脱落防止用部品を、部品に取り付けた状態にて示した図である。
【図８】図７において用いられたネジ脱落防止用部品を種々の方向から見た図である。
【図９】（Ａ）、（Ｂ）、及び（Ｃ）は、図７において用いられたネジ脱落防止用部品を部品に取り付ける方法を説明するための図である。
【発明を実施するための形態】
【００１２】
次に本発明の実施形態について詳細に説明する。
【００１３】
図１を参照すると、本発明の基となったネジ脱落防止構造を有する装置が示されている。図１においては、カバー１に部品２をネジ３で固定しており、ネジ３の頭部に対向して配置されるカバー４にはネジ３の緩み長さを規制するリブ４Ａが設けられている。カバー４には、リブ４Ａがカバー４と一体に設けられている。
【００１４】
図２を参照すると、図１に示された装置が、ネジ３が緩んだ状態にて示されている。ネジ３が緩んでも、ネジ３がリブ４Ａに当たり、カバー４に設けられたリブ４Ａによって、ネジ３の脱落は防止される。
【００１５】
しかしながら、図１で示したようなリブ４Ａをカバー４に一体に設けることが出来ない場合もある。
【００１６】
本発明は、カバー４にリブ４Ａを一体に設けることが出来ない場合に対処できるようにしたものであり、以下に本発明について図面を参照して説明する。
【００１７】
図３を参照すると、本発明の第１の実施形態によるネジ脱落防止用部品を２個用いた装置が示されている。図３に示された装置は、カバー５に部品（又は部材）６がネジ７により固定され、カバー８に部品（又は部材）９がネジ１０により固定された構造を有する。この装置において２個のネジ脱落防止用部品は、部品１１Ａ及び部品１１Ｂとして示されている。
【００１８】
部品１１Ａは、ネジ７の脱落を防止するために用いられるネジ脱落防止用部品であって、高さが調整可能であり、ネジ７の頭部に対向する位置の部材９面に着脱可能に設置されている。部品１１Ｂは、ネジ１０の脱落を防止するために用いられるネジ脱落防止用部品であって、高さが調整可能であり、ネジ１０の頭部に対向する位置の部材６面に着脱可能に設置されている。
【００１９】
詳細には、図３に示すように、ネジ７の頭部に対向して配置される部品（又は部材）９には、ネジ７の緩み長さを規制する部品（ネジ脱落防止用部品）１１Ａが、ネジ１０の頭部との間に距離を置いて、両面テープ（後述する）によって貼付け設置されている。ネジ１０の頭部に対向して配置される部品６には、ネジ１０の緩み長さを規制する部品（ネジ脱落防止用部品）１１Ｂが、ネジ１０の頭部との間に距離を置いて、両面テープ（後述する）によって貼付け設置されている。
【００２０】
このように、部品（ネジ脱落防止用部品）１１Ａは、ネジ７の頭部に対向する位置の部材９面に、ネジ７の頭部との間に距離を置いて設置され、部品（ネジ脱落防止用部品）１１Ｂは、ネジ１０の頭部に対向する位置の部材６面に、ネジ１０の頭部との間に距離を置いて設置される。
【００２１】
図４を参照すると、図３に示された装置が、ネジ７及び１０が緩んだ状態にて示されている。ネジ７が緩んでも、ネジ７が、部品９に貼付け設置された部品（ネジ脱落防止用部品）１１Ａに当たり、この部品９に貼付け設置された部品（ネジ脱落防止用部品）１１Ａによってネジ７の脱落は防止される。同様に、ネジ１０が緩んでも、ネジ１０が、部品６に貼付け設置された部品（ネジ脱落防止用部品）１１Ｂに当たり、この部品６に貼付け設置された部品（ネジ脱落防止用部品）１１Ｂによってネジ１０の脱落は防止される。
【００２２】
図５（Ａ）には、図３に示された装置において用いられた部品（ネジ脱落防止用部品）１１Ａの詳細構成が示されており、図５（Ｂ）には、図３に示された装置において用いられた部品（ネジ脱落防止用部品）１１Ｂの詳細構成が示されている。
【００２３】
図５（Ａ）及び（Ｂ）に示すように、部品（ネジ脱落防止用部品）１１Ａ及び１１Ｂは、上穴を有するベース１２と、該上穴に嵌合する溝を有し、ベース１２に高さ調整可能に差し込まれた（嵌め込まれた）シャフト１３とを有する。
【００２４】
詳細には、部品（ネジ脱落防止用部品）１１Ａ及び１１Ｂは、下端が開口され、上端に上穴を有する上板を有する筒状のベース１２と、該上穴に嵌合する溝を有し、ベース１２に高さ調整可能に差し込まれた（嵌め込まれた）シャフト１３を有する。
【００２５】
部品（ネジ脱落防止用部品）１１Ａ及び１１Ｂは、ベース１２の底部に一面を貼付けられた両面テープ１４を有する。部品（ネジ脱落防止用部品）１１Ａは、両面テープ１４の他面を、ネジ７の頭部に対向する位置の部材９面に貼付けることにより設置される（図３参照）。同様に、部品（ネジ脱落防止用部品）１１Ｂは、両面テープ１４の他面を、ネジ１０の頭部に対向する位置の部材６面に貼付けることにより設置される（図３参照）。
【００２６】
部品（ネジ脱落防止用部品）１１Ａ及び１１Ｂは、図５に示すように、ベース１２にシャフト１３が高さ調節可能に差し込まれた（嵌め込まれた）構造であり、シャフト１３はベース１２に対して移動及び固定させることが出来る。部品（ネジ脱落防止用部品）１１Ａ及び１１Ｂは、同一の部品（ベース１２、シャフト１３）によって構成されており、シャフト１３を固定した場所が違う状態である。部品（ネジ脱落防止用部品）１１Ａ及び１１Ｂにおいて、ベース１２及びシャフト１３は、弾性（バネ性）のある材質からなる。弾性のある材質とは、ＡＢＳ樹脂、ポリエチレン、ポリプロピレン、ポリ塩化ビニル等のプラスチック(合成樹脂)である。
【００２７】
図６を参照すると、図３に示された装置において用いられた部品（ネジ脱落防止用部品）１１Ａの高さが調節可能な様子が示されている。上述したように、部品（ネジ脱落防止用部品）１１Ａは、下端が開口され、上端に上穴を有する上板を有する筒状のベース１２と、該上穴に嵌合する溝を有し、ベース１２に高さ調整可能に差し込まれた（嵌め込まれた）シャフト１３を有する。図５（Ｂ）の部品（ネジ脱落防止用部品）１１Ｂも、部品（ネジ脱落防止用部品）１１Ａと同様な構造を有することは上述したとおりである。
【００２８】
以下に、図６を参照して、部品（ネジ脱落防止用部品）１１Ａの高さを調節するために部品（ネジ脱落防止用部品）１１Ａのシャフト１３を移動させる動作を説明するが、部品（ネジ脱落防止用部品）１１Ｂの高さを調節するために部品（ネジ脱落防止用部品）１１Ｂのシャフト１３の移動も同様に行えることはいうまでもない。
【００２９】
図６において、部品（ネジ脱落防止用部品）１１Ａのシャフト１３の底面１３’を押すと、部品（ネジ脱落防止用部品）１１Ｃのように、ベース１２及びシャフト１３は前述のとおり、弾性（バネ性）のある部品であるので、ベース１２の上穴からシャフト１３の溝の嵌合が外れ、矢印方向に変形しつつシャフト１３が移動する。なお、べース１２の底部の両面テープには、シャフト１３の底面１３’を押せるように孔が形成されている。
【００３０】
シャフト１３の底面１３’をさらに押し続けると、部品（ネジ脱落防止用部品）１１Ｄのように、シャフト１３が移動し、ベース１２及びシャフト１３は前述のとおり、弾性（バネ性）のある部品であるので、矢印方向へ元の状態（ベース１２の上穴にシャフト１３の溝が嵌合した状態）にもどる。
【００３１】
このようにして、部品（ネジ脱落防止用部品）１１Ａのシャフト１３を移動させることにより、部品（ネジ脱落防止用部品）１１Ａの高さを調節することができる。
【００３２】
図７を参照すると、本発明の第２の実施形態によるネジ脱落防止用部品が部品１１Ａ’として示されている。この部品（ネジ脱落防止用部品）１１Ａ’は、図３に示された装置において、部品（ネジ脱落防止用部品）１１Ａの代りに、部品（又は部材）９に設置されるものである。
【００３３】
この部品（ネジ脱落防止用部品）１１Ａ’も、部品（ネジ脱落防止用部品）１１Ａと同様に、ネジ７の脱落を防止するために用いられ、高さが調整可能であり、ネジ７の頭部に対向する位置の部材９面に、ネジ１０の頭部との間に距離を置いて、着脱可能に設置される。
【００３４】
ここで、部品（ネジ脱落防止用部品）１１Ａ’は、ベース１２の底部に設けた突起２１を有する。部品（ネジ脱落防止用部品）１１Ａ’は、ネジ７に対向する位置の部材９面に形成された孔２０に、ベース１２の底部に設けた突起２１を押し込むことにより設置される。部品（ネジ脱落防止用部品）１１Ａ’も、部品（ネジ脱落防止用部品）１１Ａと同様に、弾性（バネ性）のある材質、例えば、ＡＢＳ樹脂、ポリエチレン、ポリプロピレン、ポリ塩化ビニル等のプラスチック(合成樹脂)からなる。
【００３５】
図８には、図７において用いられた部品（ネジ脱落防止用部品）１１Ａ’を種々の方向から見た図が示されている。
【００３６】
図９（Ａ）、（Ｂ）、及び（Ｃ）は、図７において用いられた部品（ネジ脱落防止用部品）１１Ａ’を部材９面に取り付ける方法を説明するための図である。
【００３７】
図７、図８、及び図９から明らかなように、部品（ネジ脱落防止用部品）１１Ａ’は、両面テープではなく、ネジ７（図３）に対向する位置の部材９面に形成された孔２０に、ベース１２の底部に設けた突起２１を押し込んで設置する。
【００３８】
以上、実施形態を参照して本願発明を詳細に説明したが、本願発明は上記実施形態に限定されるものではない。本願発明の構成や詳細には、本願発明のスコープ内で当業者が理解できる様々な変更をすることができる。
【符号の説明】
【００３９】
１    カバー
２  部品
３  ネジ
４  カバー
４Ａ  リブ
５  カバー
６  部品（部材）
７  ネジ
８  カバー
９  部品（部材）
１０  ネジ
１１Ａ  部品（ネジ脱落防止用部品）
１１Ｂ  部品（ネジ脱落防止用部品）
１１Ａ’  部品（ネジ脱落防止用部品）
１２  ベース
１３  シャフト
１３’  底面
１４  両面テープ
２０  孔
２１  突起
【図１】
0005366227.tif 000002
【図２】
0005366227.tif 000003
【図３】
0005366227.tif 000004
【図４】
0005366227.tif 000005
【図５】
0005366227.tif 000006
【図６】
0005366227.tif 000007
【図７】
0005366227.tif 000008
【図８】
0005366227.tif 000009
【図９】
0005366227.tif 000010